(57)【要約】【課題】スパンボンド法による不織ウェブの製造において、紡糸口金から吐出された糸条を牽引し延伸するに際に発生した糸切れによって系外に堆積した切糸が自然に再牽引されるのを防止することが可能な糸条牽引装置を提供する。【解決手段】紡糸口金１から吐出された糸条２を牽引し延伸する糸条牽引装置３の牽引口の近傍に、延伸時に発生した切糸を吸引、除去するための切糸吸引具４を設ける。紡出糸条群を延伸中に切糸が発生すると、この切糸は切糸吸引具に吸引されるため、系外等に堆積されず、不織布の欠点を防ぐことができる。【選択図】　　　図１
2004044003.tif 000002
【特許請求の範囲】
【請求項１】
紡糸口金から吐出された糸条を牽引し延伸する糸条牽引装置において、延伸時に発生した切糸を吸引、除去するための切糸吸引具を糸条牽引装置の牽引口の近傍に設けてなることを特徴とする糸条牽引装置。
【発明の詳細な説明】
【０００１】
【発明の属する技術分野】
本発明は、紡糸口金から吐出された糸条を牽引し延伸する際に発生する切糸を除去することが可能な糸条牽引装置に関するものである。
【０００２】
【従来の技術】
従来から、スパンボンド法により連続糸条からなる不織ウェブを製造するに際しては、紡糸口金から紡出された紡出糸条群を、紡糸口金に対応してその下流に配置された糸条牽引装置により牽引・延伸し、開繊装置により開繊した後、連続して移動式捕集面上に捕集・堆積させて不織ウェブとすることが行われている。例えば、特公昭３７−４９９３号公報には、上記の方法による不織ウェブの製造方法が提案されている。
【０００３】
上記のようなスパンボンド法による不織ウェブの製造における紡糸口金から紡出された紡出糸条群を牽引し延伸する工程において、多数の糸条の中には延伸張力に耐えきれない糸条が発生し、切糸となり、糸条牽引装置に牽引されず系外に堆積することがある。切糸となり堆積した部分を除去して系内に復元させる作業が行われるが、この作業が行われる前に糸条牽引装置の吸引力により、堆積部分と一緒に牽引され系内に復元されてしまうことがある。そうすると、その部分は、延伸作用が働かず、開繊装置で開繊もされないで移動式捕集面上に塊となって捕集されることになる。その結果、得られた不織布の外観や風合を損ね、物性にまで影響を与えるという問題があった。
【０００４】
【発明が解決しようとする課題】
本発明は、この様な現状に鑑みて行われたものであり、紡糸口金から吐出された糸条を牽引し延伸する際に発生した糸切れによって系外に堆積した切糸が自然に再牽引されるのを防止することが可能な糸条牽引装置を提供することを課題とするものである。
【０００５】
【課題を解決するための手段】
本発明は、上記の課題を解決するものであり、紡糸口金から吐出された糸条を牽引し延伸する糸条牽引装置において、延伸時に発生した切糸を吸引、除去するための切糸吸引具を糸条牽引装置の牽引口の近傍に設けてなることを特徴とする糸条牽引装置を要旨とするものである。
【０００６】
【発明の実施の形態】
以下、本発明について詳細に説明する。
本発明の糸条牽引装置は、スパンボンド法により繊維形成性合成重合体の連続糸条からなる不織ウェブを製造する際に用いられる装置である。スパンボンド法においては、紡糸口金から紡出された紡出糸条群を冷却した後、紡糸口金に対応してその下流に配置された糸条牽引装置に牽引して延伸し、開繊装置により開繊した後、連続して移動式捕集面上に捕集・堆積させて不織ウェブを得る。この糸条牽引装置は、冷却された紡出糸条群をエアージェットにより装置内へ牽引すると共に、延伸して紡出糸条に使用に耐える強度を持たせる機能を持っている。本発明の糸条牽引装置は、紡出糸条群の中に延伸張力に耐えきれない糸条が発生し、切糸となって系外に出てしまった場合に、その糸条を吸引、除去するための切糸吸引具を糸条牽引装置の牽引口の近傍に設けてなるものである。
【０００７】
本発明の糸条牽引装置を用いたスパンボンド法による不織ウェブの製造に採用できる繊維形成性合成重合体としては、ポリエチレンテレフタレートやポリブチレンテレフタレート等のポリエステル系重合体、ナイロン６やナイロン６６等のポリアミド系重合体、ポリエチレンやポリプロピレン等のポリオレフィン系重合体等を挙げることができる。特性の異なる合成重合体を芯鞘型あるいはサイドバイサイド型にて複合紡糸して複合スパンボンド不織ウェブを得る場合にも採用できる。
【０００８】
図１は、本発明の実施態様の一例の糸条牽引装置を用いたスパンボンド法による不織ウェブの製造工程の概略を示す図である。図１において、紡糸口金１から紡出された紡出糸条群２は、エアージェットにより糸条牽引装置３に牽引され延伸されて、摩擦帯電方式等の開繊装置６により開繊され、開繊された糸条群７は、移動式捕集面８上に捕集・堆積されて不織ウェブ９を形成する。なお、図１は、１つの紡糸口金から紡出された紡出糸条群が複数の糸条群に分割されて糸条牽引装置に牽引される例を示していて、図３のように８群に分割された場合の２群分を図示している。
【０００９】
本発明の糸条牽引装置においては、糸条牽引装置３の牽引口の近傍に切糸吸引具４を設ける。切糸吸引具４は、糸条牽引装置３と支持台５を共通にして設けられ、吸引アエージェットによって切糸となった糸条の自由端を吸引する。図２は、切糸の発生により系外に出た糸条１０が切糸吸引具４に吸引されている状態を示している。
【００１０】
図３は、本発明の糸条牽引装置における紡出糸条群を牽引する糸条牽引装置と切糸を吸引する切糸吸引具４の配置方法の一例を示す図である。また紡糸口金側から糸条牽引装置を見た図であって、糸条牽引装置の牽引口と切糸吸引具の吸引口を示してその位置関係を示している。すなわち、図３の例では、紡糸口金から紡出された紡出糸条群は、８群の糸条群に分割されて糸条牽引装置に牽引され、８個の糸条牽引装置が円形に配置されている。図３の例では、切糸吸引具４は、円形に配置されている糸条牽引装置の内側に１個配置されている。
【００１１】
切糸を吸引する切糸吸引具４の配置の方法としては、図４に示すように、糸条牽引装置の内側に切糸吸引具４を設けると共に外側にも切糸吸引具１１を設けて併用してもよい。また図４の外側だけ使用してもよい。
【００１２】
切糸吸引具の吸引力が小さいと一旦切糸吸引具に吸引された切糸が糸条牽引装置の牽引されもつれるおそれがあるため、本発明における切糸吸引具の吸引力は、糸条牽引装置と同等あるいはそれ以上に設定するのが好ましい。
【００１３】
本発明のように、糸条牽引装置の牽引口の近傍に切糸吸引具を設けておくと、紡出糸条群の中に延伸張力に耐えきれない糸条が発生し、切糸となって系外に出てしまった場合に、その糸条を吸引、除去することができるので、切糸処理作業が行われる前に切糸が糸条牽引装置の吸引力により、堆積部分と一緒に牽引され系内に復元されてしまい、その部分が延伸・開繊されずに移動式捕集面上に塊となって捕集されてしまって、不織布の外観や風合を損ね、物性にまで影響を与えるということがなくなる。また、切糸吸引具に吸引されている間にも延伸作用を働かすことが可能なため、切糸吸引具に吸引させないで系内に復元させた場合に比して、切糸処理作業により系内に復元させた時のその部分の物性を正常値に近いものとすることができる。
【００１４】
【実施例】
以下、実施例によって本発明をさらに具体的に説明する。
実施例１
図１に示すスパンボンド法による不織ウェブ製造法による製造ユニットを一列に６ユニット配置した製造装置を用いて、極限粘度が０．７０のポリエチレンテレフタレートを単孔吐出量１．２ｇ／ｍｉｎで紡糸口金１から紡出した糸条群を２４０本を８群に分割して、紡糸口金の下流２０００ｍｍの位置に配置された８個の糸条牽引装置３により速度５０００ｍ／ｍｉｎで牽引し延伸して、開繊装置６にて開繊し、コンベアー状の移動式捕集面上に捕集・堆積して、単糸繊度２．４デシテックスの連続糸条からなるポリエステル不織ウェブ９を得て、引き続いて２３０℃のエンボスロールと同温のフラットロールで熱圧着し、ポリエステルスパンボンド不織布を得た。
この際、図３に示すように円形に配置された糸条牽引装置３の中心部に切糸吸引具４を設け、糸条牽引装置にて用いる空気圧０．２ＭＰａの圧搾空気を用いて吸引した。糸条牽引装置の牽引口の大きさが直径２０ｍｍに対して、切糸吸引具の吸引口の大きさは直径７５ｍｍとした。
上記の状態で紡出すると、発生した切糸は系外に堆積する前に切糸吸引具に吸引された。切糸吸引具に吸引された糸条は、鍵棒を用いて所定の糸条牽引装置の牽引口にもっていき、はさみで切断することにより容易に糸条牽引装置に再牽引させることができた。得られた不織布の目視検反では切糸に起因すると認められる欠点は発見されなかった。
【００１５】
比較例１
実施例１において、切糸吸引具４を作動させない状態での２４時間連続運転させ、また、系外に堆積していた切糸の処理作業を行った。得られた不織布（２４時間中）を目視検反した結果、切糸に起因すると認められる欠点が表１に示したように発生しており、外観の不具合が認められた。
【００１６】
【表１】
2004044003.tif 000003
【００１７】
【発明の効果】
本発明によると、糸条牽引装置の牽引口の近傍に切糸吸引具を設けているので、紡出糸条群を延伸中に切糸が発生してもそれを除去することができ、切糸によって不織布の外観や風合を損ね、物性にまで影響を与えるということがなくなるといった効果を奏する。
【図面の簡単な説明】
【図１】本発明の糸条牽引装置を用いたスパンボンド法による不織ウェブ製造装置の概要を示す図である。
【図２】図１において、製造中に切糸が発生し、切糸吸引具に切糸が吸引されている状態を示す図である。
【図３】図１の糸条牽引装置を紡出口金側から見た図である。
【図４】切糸吸引具の配置例を示す図である。
【符号の説明】
１　紡糸口金
２　連続糸条群
３　糸条牽引装置
４　切糸吸引具
５　支持台
６　開繊装置
７　開繊された糸条群
８　移動式捕集面
９　不織ウェブ
１０　切糸吸引具に吸引されている糸条
１１　切糸吸引具
【図１】
2004044003.tif 000004
【図２】
2004044003.tif 000005
【図３】
2004044003.tif 000006
【図４】
2004044003.tif 000007